(57)【要約】      （修正有）【課題】自由に動き回れるものの、病気や老化などの理由によって側臥位になることが多い犬や猫などの動物に容易に着脱可能であり、横になることが多いことに起因して生じる床ずれを防止することができる動物用床ずれ防止衣類を提供する。【解決手段】動物の胴体被覆部分を被覆する胴体被覆部１１、胴体被覆部１１から延出し、動物の前脚を挿入可能な前脚挿入口１３ａが形成された一対の前脚被覆部１３、及び、胴体被覆部１１から延出し、動物の後脚を挿入可能な後脚挿入口１５ａが形成された一対の後脚被覆部１５を有するシート状の衣類本体２０からなり、シート状の衣類本体２０は、表面側編地、裏面側編地、及び、表面側編地と裏面側編地とを連結する複数の連結糸を備える動物用床ずれ防止衣類１。【選択図】図１
0003157128.tif 000002
【実用新案登録請求の範囲】
【請求項１】
動物の胴体被覆部分を被覆する胴体被覆部、前記胴体被覆部から延出し、動物の前脚を挿入可能な前脚挿入口が形成された一対の前脚被覆部、及び、前記胴体被覆部から延出し、動物の後脚を挿入可能な後脚挿入口が形成された一対の後脚被覆部を有するシート状の衣類本体からなり、
シート状の前記衣類本体は、表面側編地、裏面側編地、及び、前記表面側編地と前記裏面側編地とを連結する複数の連結糸を備える動物用床ずれ防止衣類。
【請求項２】
前記連結糸は、ポリエステル樹脂を含有する２０〜５００デニールのモノフィラメント繊維からなり、５ｃｍ２中の前記連結糸の総断面積が０．０５〜１．０ｃｍ２である請求項１に記載の動物用床ずれ防止衣類。
【請求項３】
前記衣類本体は、動物の頭を被覆する頭部被覆部を更に有する請求項１または２に記載の動物用床ずれ防止衣類。
【請求項４】
前記前脚挿入口及び前記後脚挿入口の形状が、それぞれ、円形である請求項１〜３のいずれか一項に記載の動物用床ずれ防止衣類。
【請求項５】
前記衣類本体の厚さが、２〜２０ｍｍである請求項１〜４のいずれか一項に記載の動物用床ずれ防止衣類。
【考案の詳細な説明】
【技術分野】
【０００１】
本考案は、動物用床ずれ防止衣類に関し、更に詳しくは、自由に動き回れるものの、病気や老化などの理由によって側臥位になること（横になること）が多い犬や猫などの動物に容易に着脱可能であり、横になることが多いことに起因して生じる床ずれを防止することができる動物用床ずれ防止衣類に関する。
【背景技術】
【０００２】
病気や老化で十分に動けなくなった犬や猫などの動物は、長い時間同じ姿勢で寝ていることが多い。また、自由に動き回れるものの、側臥位になることが多い犬や猫などの動物も同様に同じ姿勢で横になることが多い。このように長時間同じ姿勢で寝ている場合や同じ姿勢で頻繁に横になることがある場合、横になる度に、身体の同じ部分（特に関節などの部分）が自重によって床に強く押し付けられるため、床と接する部分に十分な血液が流れなくなり、皮膚組織が壊死する、いわゆる床ずれが生じる。
【０００３】
このような床ずれを防止するため、動物が横臥可能な大きさを備え、クッション性を有するマット本体に複数の空洞部を形成してなる床ずれ防止用マットが提案されている（特許文献１参照）。また、発泡ポリエチレンなど弾力性があり、かつ液体をはじく性質を備えた合成樹脂板を材料とする環形またはＵ字形の動物用円座が提案されている（特許文献２参照）。この円座は、その一方の面に接着剤が付与されており、この接着剤で円座を動物に定着させることによって、十分に動けなくなった動物が身体を動かした場合にも、円座が外れないようにしているものである。
【先行技術文献】
【特許文献】
【０００４】
【特許文献１】特開２００７−１５１６１０号公報
【特許文献２】特開平１０−３３５７７号公報
【考案の概要】
【考案が解決しようとする課題】
【０００５】
しかしながら、特許文献１に記載のマットは、動物が起き上がろうとする度にズレてしまい、床ずれ防止効果が十分に得られなかった。また、通気性が十分ではなく、ムレが生じて皮膚がただれる場合があった。
【０００６】
また、特許文献２に記載の円座は、接着剤によって動物に定着させるものであるが、接着剤の接着力が弱まるなどの理由により不意に外れてしまう場合があった。また、動物に接着させるものであるため、通気性が十分ではなく、ムレが生じて皮膚がただれる場合があった。
【０００７】
本考案は、このような従来技術の有する問題点に鑑みてなされたものであり、その課題とするところは、自由に動き回れるものの、病気や老化などの理由によって側臥位になることが多い犬や猫などの動物に容易に着脱可能であり、横になることが多いことに起因して生じる床ずれを防止することができる動物用床ずれ防止衣類を提供する。
【課題を解決するための手段】
【０００８】
本考案者らは上記課題を達成すべく鋭意検討した結果、良好な通気性及び回復性を有し、動物の体全体を被覆可能な形状のシート部材を着脱させることによって、上記課題を解決可能であることを見出し、本考案を完成するに至った。
【０００９】
本考案によれば、以下に示す、動物用床ずれ防止衣類が提供される。
【００１０】
［１］  動物の胴体被覆部分を被覆する胴体被覆部、前記胴体被覆部から延出し、動物の前脚を挿入可能な前脚挿入口が形成された一対の前脚被覆部、及び、前記胴体被覆部から延出し、動物の後脚を挿入可能な後脚挿入口が形成された一対の後脚被覆部を有するシート状の衣類本体からなり、シート状の前記衣類本体は、表面側編地、裏面側編地、及び、前記表面側編地と前記裏面側編地とを連結する複数の連結糸を備える動物用床ずれ防止衣類。
【００１１】
［２］  前記連結糸は、ポリエステル樹脂を含有する２０〜５００デニールのモノフィラメント繊維からなり、５ｃｍ２中の前記連結糸の総断面積が０．０５〜１．０ｃｍ２である前記［１］に記載の動物用床ずれ防止衣類。
【００１２】
［３］  前記衣類本体は、動物の頭を被覆する頭部被覆部を更に有する前記［１］または［２］に記載の動物用床ずれ防止衣類。
【００１３】
［４］  前記前脚挿入口及び前記後脚挿入口の形状が、それぞれ、円形である前記［１］〜［３］のいずれかに記載の動物用床ずれ防止衣類。
【００１４】
［５］  前記衣類本体の厚さが、２〜２０ｍｍである前記［１］〜［４］のいずれかに記載の動物用床ずれ防止衣類。
【考案の効果】
【００１５】
本考案の動物用床ずれ防止衣類は、自由に動き回れるものの、病気や老化などの理由によって側臥位になることが多い犬や猫などの動物に容易に着脱可能であり、横になることが多いことに起因して生じる床ずれを防止することができるという効果を奏するものである。
【図面の簡単な説明】
【００１６】
【図１】本考案の動物用床ずれ防止衣類の一の実施形態を模式的に示す平面図である。
【図２】図１に示す動物用床ずれ防止衣類のＡ−Ａ’断面を模式的に示す断面図である。
【図３】図１に示す動物用床ずれ防止衣類の着用状態を模式的に示す説明図である。
【考案を実施するための形態】
【００１７】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００１８】
［１］動物用床ずれ防止衣類：
図１は、本考案の動物用床ずれ防止衣類の一の実施形態を模式的に示す平面図であり、図２は、図１に示す動物用床ずれ防止衣類のＡ−Ａ’断面を模式的に示す断面図である。図１及び図２に示すように、本実施形態の動物用床ずれ防止衣類１は、動物の胴体被覆部分を被覆する胴体被覆部１１、この胴体被覆部１１から延出し、動物の前脚を挿入可能な前脚挿入口１３ａが形成された一対の前脚被覆部１３、及び、胴体被覆部１１から延出し、動物の後脚を挿入可能な後脚挿入口１５ａが形成された一対の後脚被覆部１５を有するシート状の衣類本体２０からなり、シート状の衣類本体２０は、表面側編地２１、裏面側編地２３、及び、表面側編地２１と裏面側編地２３とを連結する複数の連結糸２５を備えている。
【００１９】
このような構成により、本実施形態の動物用床ずれ防止衣類１は、自由に動き回れるものの、病気や老化などの理由によって側臥位になることが多い犬や猫などの動物に容易に着脱可能であり、横になることが多いことに起因して生じる床ずれを防止することができる。本考案の動物用床ずれ防止衣類は、四足歩行の中型動物（例えば、犬や猫など）に好適に用いることができる。なお、本発明の動物用床ずれ防止衣類は、病気や老化に限らず、側臥位になることが多い動物に着用させることができる。
【００２０】
衣類本体は、上述したように、動物の胴体被覆部分を被覆する胴体被覆部、この胴体被覆部から延出し、動物の前脚を挿入可能な前脚挿入口が形成された一対の前脚被覆部、及び、胴体被覆部から延出し、動物の後脚を挿入可能な後脚挿入口が形成された一対の後脚被覆部を有するシート状のものであり、表面側編地、裏面側編地、及び、表面側編地と裏面側編地とを連結する複数の連結糸を備えている。図３は、このような衣類本体２０（動物用床ずれ防止衣類１）を、犬３０に着用させた着用状態を模式的に示す説明図である。犬を覆うように背中側から被せた後、前脚及び後脚をそれぞれ前脚挿入口及び後脚挿入口に挿入することによって容易に着脱させることができる。このように、本考案の動物用床ずれ防止衣類は容易に着脱させることができ、動物が着用するものであるため、特許文献２に記載の円座のように不意に外れてしまうおそれがない。そして、円座のように接着させずに着用させているため、動物の動きを妨げることが少ないという利点がある。
【００２１】
前脚挿入口及び後脚挿入口の形状は、前脚及び後脚を挿入することが可能な形状であれば特に制限はなく、例えば、円形、楕円形、三角形、四角形、多角形などを挙げることができる。これらの中でも、形成が容易であるため、円形であることが好ましい。また、前脚挿入口及び後脚挿入口としては、スリットであってもよく、スリットである場合には、１本のスリットであってもよいし、複数本のスリットが交差するもの（例えば、十字状を形成するように交差するもの）であってもよい。上記挿入口は、例えば、ハサミ、カッターなどによって形成することができる。
【００２２】
衣類本体は、動物の頭を被覆する頭部被覆部を更に有することが好ましい。頭部被覆部を有することによって、頭部に生じる床ずれを防止することができる。
【００２３】
表面側編地は、例えば、綿、キュプラ、レーヨン、精製セルロース繊維、ポリエステル、ポリアミド、ポリトリメチレンテレフタレート系繊維などの天然繊維、合成繊維などの繊維を編み込んで形成されるものである。そして、表面側編地は、メッシュ編地、マーギゼット編地などの複数の開口部を有する編地であってもよい。裏面側編地は、表面側編地と同様のものを用いることができる。
【００２４】
連結糸は、表面側編地と裏面側編地とを連結する複数の糸である。この複数の連結糸によって動物用床ずれ防止衣類は適度な回復性を有し、着用した動物の血液の流れを維持させることができる。そのため、床ずれを防止することができる。連結糸の材質は、特に制限はなく、例えば、合成樹脂などを挙げることができ、合成樹脂の中でも、ポリエステル樹脂を含有するものであることが好ましい。なお、連結糸は、モノフィラメントであってもよいし、マルチフィラメントであってもよい。
【００２５】
更に、連結糸は、ポリエステル樹脂を含有する２０〜５００デニールのモノフィラメント繊維からなり、５ｃｍ２中の連結糸の総断面積が０．０５〜１．０ｃｍ２であることが好ましい。このような連結糸を有する衣類本体（動物用床ずれ防止衣類）によれば、通気性及び回復性（反発性）が優れるため、床ずれを更に良好に防止することができる。また、ポリエステル樹脂を含有するモノフィラメント繊維の中でも、ポリトリメチレンテレフタレート製のモノフィラメント繊維であることが好ましい。
【００２６】
連結糸は、表面側編地と裏面側編地とを連結するものである限り配置される状態は特に制限はなく、傾斜させて配置したり、Ｘ状に交叉して配置してもよい。
【００２７】
衣類本体の厚さは、連結糸（材質や総断面積など）によって適宜設定することができるが、２〜２０ｍｍであることが好ましい。上記厚さが２ｍｍ未満であると、通気性や回復性が十分に得られずに床ずれを防止することが困難になるおそれがある。一方、２０ｍｍ超であると、着脱させ難くなるおそれがある。また、犬などの動物が歩く際に、歩き難くなってしまうおそれがある。
【００２８】
衣類本体としては、具体的には、旭化成せんい株式会社製の「ＦＵＳＩＯＮ（登録商標）」などを用いることができる。これらの中でも、品番「ＡＫＥ６５７１０」、「ＡＫＥ６５０３６」が好ましい。
【実施例】
【００２９】
以下、本考案を実施例に基づいて具体的に説明するが、本考案はこれらの実施例に限定されるものではない。
【００３０】
（実施例１）
旭化成せんい株式会社製の「ＦＵＳＩＯＮ（登録商標）」（品番「ＡＫＥ６５７１０」）（厚さ１０ｍｍ）を、胴体被覆部（幅（図１中「Ｌ１」）７０ｍｍ）、一対の前脚被覆部（幅（図１中「Ｌ２」）１２０ｍｍ）、及び、一対の後脚被覆部（幅（図１中「Ｌ３」）９０ｍｍ）を有するように、図１に示すように略工字状（縦（図１中「Ｘ」）×横（図１中「Ｙ」）；２７０ｍｍ×４１０ｍｍ）に裁断した。その後、一対の前脚被覆部の先端部分、及び、一対の後脚被覆部の先端部分に円形状の貫通孔（直径５０ｍｍ）を形成して、それぞれ、前脚挿入口及び後脚挿入口とした。このようにして、図１に示すような動物用床ずれ防止衣類１を作製した。そして、作製した動物用床ずれ防止衣類を、自由に動き回れるものの、側臥位になることが多いため床ずれが生じている犬（図３参照）に着用させた。
【００３１】
着用後、数日で床ずれしていた部分が乾燥し、床ずれが改善したことが確認できた。また、新たに床ずれが生じることもなかった。
【００３２】
以上の実施例１から明らかなように、実施例１の動物用床ずれ防止衣類１は、自由に動き回れるものの、病気や老化などの理由によって側臥位になることが多い犬や猫などの動物に容易に着脱可能であり、横になることが多いことに起因して生じる床ずれを防止することができることが確認できた。
【産業上の利用可能性】
【００３３】
本考案の動物用床ずれ防止衣類は、側臥位になることが多い犬や猫などの動物に着脱させる衣類として採用することができる。
【符号の説明】
【００３４】
１：動物用床ずれ防止衣類、１１：胴体被覆部、１３ａ：前脚挿入口、１３：前脚被覆部、１５ａ：後脚挿入口、１５：後脚被覆部、２０：衣類本体、２１：表面側編地、２３：裏面側編地、２５：連結糸、３０：犬。
【図１】
0003157128.tif 000003
【図２】
0003157128.tif 000004
【図３】
0003157128.tif 000005